(57)【特許請求の範囲】
【請求項１】
電子カルテＤＢから患者の分娩進行データとイベント情報とを検索して読み取る手段と、
前記分娩進行データに含まれるグラフ表示データからグラフを表示するエリアであって、そのＹ軸（縦軸）が時間方向として設定されているグラフエリアと、前記分娩進行データに含まれる看護記録と前記イベント情報とを表示するエリアであって、そのＹ軸（縦軸）が時間方向として設定されている看護記録エリアと、を有し、複数のデータ値をＸ軸（横軸）に設定したパルトグラムを表示するパルトグラム表示制御手段と、
を有し、
前記パルトグラム表示制御手段は、選択に応じて、前記Ｙ軸に関して、前記グラフに対応する固定長、前記看護記録と前記イベント情報とに対応する固定長、前記看護記録と前記イベント情報とに対応する可変長のいずれかに設定したパルトグラムを表示すること、
を特徴とするパルトグラム表示装置。
【請求項２】
前記パルトグラムは、前記Ｙ軸に関して、前記グラフに対応する固定長、前記看護記録と前記イベント情報とに対応する固定長、前記看護記録と前記イベント情報とに対応する可変長のいずれかを選択するボタンを含む複数の機能ボタン群を有することを特徴とする請求項１に記載のパルトグラム表示装置。
【請求項３】
前記パルトグラムの表示制御を司るテーブルと、
パルトグラム専用のデータを記録する看護支援ＤＢと、を更に有することを特徴とする請求項１又は請求項２に記載のパルトグラム表示装置。
【請求項４】
前記パルトグラム表示制御手段は、
前記グラフエリアおよび前記看護記録エリアの表示を行う参照画面部と、
前記グラフエリアおよび前記看護記録エリアからの操作に応じて前記看護記録および又は実施記録を入力するパルトグラム入力画面を表示する入力画面部と、
分娩中のコメントを入力するコメント入力画面を表示するコメント入力画面部と、を有することを特徴とする請求項１又は請求項２に記載のパルトグラム表示装置。
【請求項５】
前記看護記録エリアには、画面からの選択入力に応じて前記看護記録と前記イベント情報が別々に表示、又は前記看護記録と前記イベント情報が時系列的に一覧表示されることを特徴とする請求項２乃至請求項４のいずれか１項に記載のパルトグラム表示装置。
【請求項６】
前記パルトグラムの前記Ｙ軸の時間単位を任意の時間単位に選択できることを特徴とする請求項１乃至請求項５のいずれか１項に記載のパルトグラム表示装置。
【請求項７】
前記グラフエリアに表示される前記グラフの単位時間毎のＹ軸の高さと、前記看護記録エリアに表示される前記グラフに対応する時間帯での前記看護記録の単位時間毎のＹ軸の高さが、同じ高さで表示することができることを特徴とする請求項２に記載のパルトグラム表示装置。
【請求項８】
前記看護記録の時間軸を基準に前記グラフの少なくとも一部がＹ軸方向に拡張することを特徴とする請求項７に記載のパルトグラム表示装置。
【請求項９】
前記グラフエリアに表示される前記グラフのＹ軸の単位時間の高さが、単位時間が最も高い表示箇所に合わせて、全て均一の高さに設定できることを特徴とする請求項１又は請求項２に記載のパルトグラム表示装置。
【請求項１０】
前記グラフは、入力ポイントの最小値と最大値と結ぶことで塗りつぶしデータを表示することを特徴する請求項２又は請求項３に記載のパルトグラム表示装置。
【請求項１１】
前記グラフエリアからの入力操作によって少なくとも編集、新規看護記録、陣痛・間歇、児心音を入力するためのコンテキストメニューを一覧表示することができることを特徴とする請求項１又は請求項４に記載のパルトグラム表示装置。
【請求項１２】
前記看護記録エリアに表示される前記看護記録にマウスオーバーした時、前記グラフエリアの当該看護記録の時間を示す横線が表示されることを特徴とする請求項２又は請求項４に記載のパルトグラム表示装置。
【請求項１３】
前記看護記録エリアに表示される前記看護記録の一部を修正する操作が行われた時、前記看護記録の内容を反映した前記入力画面が表示されることを特徴とする請求項１又は請求項４に記載のパルトグラム表示装置。
【請求項１４】
前記看護記録エリアに表示される前記看護記録にシェーマタイトルとアイコンを表示することを特徴とする請求項２又は請求項４に記載のパルトグラム表示装置。
【発明の詳細な説明】
【技術分野】
【０００１】
本発明の実施形態は、パルトグラム表示装置に関する。
【背景技術】
【０００２】
パルトグラムは、分娩進行状態を一目で把握できるように図式化したもので、陣痛発作時間・陣痛間欠時間、子宮口開大度・児頭降下度・矢状縫合の向きを記録したものなどが良く知られている。従来では、紙による記録が一般的であり、コンピュータで時系列に分娩経過を記録表示するものは殆ど無かった。
【０００３】
紙で記録するパルトグラムでは、時間軸が縦方向（Ｙ方向）になっている。したがって、コンピュータ化した際に、一般的な手法で考えると時間軸を横方向（Ｘ方向）に設定した表示となってしまう虞がある。このため、横軸表現では不慣れなものとなり、スムーズな導入が困難であった。また、時間軸に沿った看護記録や患者スケジュールの表示もグラフに沿った形式での表現ができない問題があった。つまり、時間軸を縦方向（Ｙ方向）に設定すると、グラフの表示は縦表示が横表示に変わるだけで問題ないが、分娩進行データである看護記録は時間軸に合わせて表示しようとすると縦書きとなってしまい、複数行で表示した場合は読み辛くなる。
【先行技術文献】
【特許文献】
【０００４】
【特許文献１】特許第４３６４１３８号報
【特許文献２】特表２００６−５０５３２３号公報
【発明の概要】
【発明が解決しようとする課題】
【０００５】
そこで、本発明が解決しようとする課題は、分娩時の記録内容を縦方向のグラフで表現すると共に、グラフ表現も塗りつぶしや実施内容により変化させるアイコンなどを用い、紙運用と同等の表現を可能し、またグラフ表現した時系列との位置を一致させて看護記録と患者スケジュールを表示させるパルトグラム表示装置を提供することを目的とする
【課題を解決するための手段】
【０００６】
上記目的を達成するために、実施形態に係るパルトグラム表示装置は、電子カルテＤＢから患者の分娩進行データとイベント情報とを検索して読み取る手段と、前記分娩進行データに含まれるグラフ表示データからグラフを表示するエリアであって、そのＹ軸（縦軸）が時間方向として設定されているグラフエリアと、前記分娩進行データに含まれる看護記録と前記イベント情報とを表示するエリアであって、そのＹ軸（縦軸）が時間方向として設定されている看護記録エリアと、を有し、複数のデータ値をＸ軸（横軸）に設定したパルトグラムを表示するパルトグラム表示制御手段と、を有し、前記パルトグラム表示制御手段は、選択に応じて、前記Ｙ軸に関して、前記グラフに対応する固定長、前記看護記録と前記イベント情報とに対応する固定長、前記看護記録と前記イベント情報とに対応する可変長のいずれかに設定したパルトグラムを表示すること、を特徴とする。
【００１０】
本実施形態によれば、紙からコンピューターシステム化をスムーズに行える。また、グラフ表現、実施結果、看護記録、患者スケジュールを同軸で参照できる。また、時系列に合わせた形で自由に各種記録入力が可能である。また、看護記録と連動した実施記録の入力ができる。更にまた、日毎に情報管理ができるなどの効果を有している。
【図面の簡単な説明】
【００１１】
【図１】実施形態に係るパルトグラム表示装置の構成を示すブロック図である。
【図２】実施形態に係る参照画面部によるパルトグラムの詳細な一例を示す図である。
【図３】実施形態に係る行高調整チェックボックスが「ＯＮ」時の機能を示す図である。
【図４】実施形態に係る行高統一チェックボックスが「ＯＮ」時の機能を示す図である。
【図５】実施形態に係るグラフ目盛りの陣痛持続時間の最小値と最大値を結び、グラフの塗りつぶしを示す図である。
【図６】実施形態に係るコンテキストメニューの一覧を表示する図である。
【図７】実施形態に係る看護記録エリアを示す図である。
【図８】実施形態に係る看護記録一覧ｃ４とイベント一覧ｃ５が左右に分けて表示する例と、看護記録一覧ｃ４とイベント一覧ｃ５を一つに纏めたミックス表示する例を示す図である。
【図９】実施形態に係る看護記録一覧をマウスオーバーしたときにグラフデータ表示エリアに時間の横線を表示する図である。
【図１０】実施形態に係る看護記録「０１：１５」の上をダブルクリックした時の入力画面６００ｆを示す図である。
【図１１】実施形態に係る看護記録にシェーマコメントと「アイコン」ｃ９の表示並びにシェーマの表示を示す図である。
【図１２】実施形態に係るコメント入力画面の一例を示す図である。
【発明を実施するための形態】
【００１２】
以下、図面を参照しながら本発明の実施形態を説明する。
【００１３】
実施形態に係るパルトグラム表示装置は、実施データをグラフ又はアイコンとして表示する機能、看護記録／イベントを一覧表示する機能、分娩進行状況の入力が行える機能などを有している。
【００１４】
図１は、パルトグラム表示装置の構成を示す図である。パルトグラム表示装置は、電子カルテＤＢ（ＤＢ：データベース）１００、看護支援ＤＢ２００、ＤＢ検索・読み取り処理部３００、登録用データ変換・書き込み処理部４００、パルトグラム表示制御部５００、端末装置の表示部６００、テーブル７００などによって構成されている。
【００１５】
電子カルテＤＢ１００と看護支援ＤＢ２００は、病院情報システムを構成するサーバ装置に格納されている。ここでは、病院情報システムのネットワーク構成は省略するが、これらの電子カルテＤＢ１００、看護支援ＤＢ２００は、各病棟内の多数の端末装置とネットワーク（ＬＡＮでもインターネットでも他の接続でも良い）接続されている。テーブル７００は、サーバ側又は端末装置側のいずれか一方又は両方に格納されている。ＤＢ検索・読み取り処理部３００、および登録用データ変換・書き込み処理部４００は、サーバ側に設けられた機能部であるが、端末装置側に設けても良い。パルトグラム表示制御部５００、および表示部６００は、上記端末装置に設けられた機能部である。
【００１６】
電子カルテＤＢ１００には、一般的な電子カルテであり、患者の個人情報の他に、当該患者が受診した過去からの診察・治療内容が履歴として記録蓄積されている。本実施形態でも、端末装置のパルトグラム入力画面６００ｆから入力される患者の分娩に関する看護記録や看護実施データ、およびパルトグラムから入力したものは、登録用データ変換・書き込み処理部４００による変換処理と書き込み処理が行われたのち、電子カルテＤＢ１００と看護支援ＤＢ２００に逐次記録される。また、イベント一覧（患者のスケジュール情報を表示）から入力した看護記録を支援する情報が、登録用データ変換・書き込み処理部４００により電子カルテＤＢ１００に逐次入力される。また、後述するコメント入力画面から入力されるコメント入力情報（パルトグラム専用のデータ）も登録用データ変換・書き込み処理部４００を経由して看護支援ＤＢ２００に逐次入力される。更に、パルトグラム表示において、電子カルテＤＢ１００に記録されたデータに含まれるグラフ作成に必要な情報は、テーブル７００に書き込まれる。テーブル７００は、表示項目、表示範囲や方法（色など）、実施項目などの表示制御を司る。
【００１７】
ＤＢ検索・読み取り処理部３００は、パルトグラム表示の起動に応じて、患者の氏名又は識別番号などから、電子カルテＤＢ１００および看護支援ＤＢ２００を検索して、該当患者の分娩進行データを読み込み、端末装置のパルトグラム表示制御部５００に出力する。ここでは、アクセス頻度の多い電子カルテＤＢ１００に代えて、看護支援ＤＢ２００から、看護記録や看護実施データを取得することによって、より高速に処理できるようにしている。
【００１８】
パルトグラム表示制御部５００は、参照画面部５１０と、入力画面部５２０と、コメント入力画面部５３０などから構成されている。参照画面部５１０は、端末装置の表示部６００に機能ボタン群６００ａ、グラフエリア６００ｂ、看護記録エリア６００ｃ、イベント一覧６００ｄを表示する。入力画面部５２０は、看護記録又は看護実施の入力時に、表示部６００にパルトグラム入力画面６００ｆを表示する。コメント入力画面部５３０は、表示部６００に分娩中のコメントを入力するためのコメント入力画面を表示する。
【００１９】
図２は、参照画面部５１０によるパルトグラムの詳細な一例を示す図である。参照画面部５１０は、ＤＢ検索・読み取り処理部３００によって読み取った患者の分娩進行データを表示する。参照画面部５１０は、端末装置の表示部６００の上部に機能ボタン群６００ａを表示し、表示部６００の左側にグラフエリア６００ｂを表示し、表示部６００の右側に看護記録エリア６００ｃおよび看護業務を支援するイベント一覧６００ｄを表示する。このイベント一覧６００ｄにより、患者に対するこれまでの実績と、今後の予定を表示することができる。グラフエリア６００ｂの罫線数、グラフ目盛り、アイコン表示エリアに関する設定を、システム定義テーブルに用意したパルトグラム用テーブル７００から取得する。
【００２０】
機能ボタン群６００ａは、グラフの表示期間、基準時間変更、グラフエリアに表示するグラフの変更、及びコメント入力画面の起動等のボタンを配置する。
【００２１】
グラフエリア６００ｂは、上から下への縦軸（Ｙ軸）に時間の流れを表すように表示している。その時間の流れに沿って、サーバ装置側の電子カルテＤＢ１００からの看護実施データをグラフ（ライン引き・塗りつぶし）又はアイコンで表示している。なお、時間軸は、設定による固定長（グラフ優先）、看護記録／イベント情報に合わせた固定長、看護記録／イベント情報に合わせた可変長のいずれかを画面から選択して設定することが可能としている。
【００２２】
看護記録エリア６００ｃも、グラフエリア６００ｂと同様に、上から下への縦軸（Ｙ軸）に時間の流れを表すように表示している。その時間の流れに沿って、電子カルテＤＢ１００からの看護記録データを一覧表示している。また、電子カルテＤＢ１００からの看護業務支援データがイベント一覧６００ｄに表示される。そして、表データ作成、時間軸に合わせて配置位置の決定、電子カルテリンク情報・画像リンク情報セットなどが行われる。
【００２３】
次に、参照画面部５１０によって表示される各表示内容について説明する。
【００２４】
（機能ボタン群６００ａ）
患者基本情報表示エリアａ１は、患者番号や患者氏名、年齢等を表示する。
【００２５】
グラフパターン変更コンボボックスａ２は、熱型表設定と同様の機能を配置する。コンボボックスを切り替えることで、グラフの表示内容（表示パターン）を切り替える事ができる。即ち、妊婦の容態、胎児の容態などにより見たい情報が異なるので、それらのパターンを予めテーブル７００に設定しておき、切り替えることができる。
【００２６】
表示期間変更コンボボックスａ３は、コンボボックス切り替えによって、グラフ全体の表示期間や単位時間間隔（罫線毎の時間）を変更するときに使用する。図２では、１時間単位の表示例を示しているが、２時間単位や３時間単位など自由に設定することができる。グラフ全体の表示期間や単位時間間隔は、パルトグラム用テーブル７００で設定することができる。
【００２７】
表示基準日ボックスａ４は、表示基準日を指定するときに使用する。基準日の指定方法としては、直接基準日を入力する方法、又は▼ボタンでカレンダーを表示して、カレンダーから選択する方法がある。
【００２８】
基準時間ボックスａ５は、基準時間の設定するときに使用する。基準時間の設定方法としては、直接時間を入力する方法又は▼ボタンで時間表を表示して、そこから選択する方法がある。表示期間の移動は、ボックスａ４，ａ５の左右にある矢印ボタンを操作することで可能となる。
【００２９】
コメント表示域ａ６は、後述するコメント入力画面６００ｇ（図１２を参照）で入力されたコメントを表示する。表示されるコメントは、画面の表示開始日に入力されたコメントが表示される。
【００３０】
コメント入力画面起動ボタンａ７は、コメント入力画面６００ｇ（図１２を参照）を起動するときに使用する。
【００３１】
終了ボタンａ８は、パルトグラム画面を終了するときに使用する。
【００３２】
（グラフエリア６００ｂ）
グラフエリア６００ｂは、グラフデータ／アイコン／グラフ目盛り／凡例等の表示や、グラフの行高の調整／即実施項目選択画面の起動／特定の胎児の指定（多胎児の場合のみ）等の機能を持つ。また、実施値をグラフプロットで表示したり、胎児の向き、出産した胎児の性別、看護記録の有無をアイコンで表示する。
【００３３】
＜即実施ボタンｂ１＞
即実施ボタンｂ１の押下時により、即実施項目選択画面（以降、即実施画面と称する）のアプリを起動する。そして、パルトグラム入力画面６００ｆを使用して実施内容を入力する。即実施画面で選択された項目は、パルトグラム入力画面６００ｆに反映される。既に入力画面が起動していた場合は、パルトグラム入力画面６００ｆが参照画面の最前面に表示される。
【００３４】
＜行高調整のチェックボックスｂ２＞
この行高調整のチェックボックスｂ２は、プログラム制御にて表示／非表示を設定可能とする。行高調整のチェックボックスｂ２が「ＯＮ」時、縦スクロールバー（図２では省略）が看護記録エリア６００ｃのみに表示され、グラフエリア６００ｂと看護記録エリア６００ｃのスクロールが同期する。そして、図３に示すように、グラフエリア６００ｂと看護記録エリア６００ｃの単位時間毎の行高を同じにする。即ち、図２では１２日の「０３：０５」〜「０３：４０」の看護記録がグラフの時間（３時〜４時の間）に対応していないが、図３では同じ高さに調整されている。この処理は、パルトグラム用テーブル７００のグラフ目盛りの「３時−４時」の高さを変更することで実現される。つまり、単位時間毎の行高は、看護記録エリア６００ｃの高さを基準に調整される。一方、このチェックボックスが「ＯＦＦ」時、縦スクロールバーがグラフエリア６００ｂと看護記録エリア６００ｃにそれぞれ表示され、グラフエリア６００ｂと看護記録エリア６００ｃのスクロールが非同期になる。グラフエリア６００ｂと看護記録エリア６００ｃの行高の調整を行わない。
【００３５】
＜行高統一のチェックボックスｂ３＞
この行高統一のチェックボックスｂ３も、プログラム制御にて表示・非表示を設定可能とする。行高統一のチェックボックスｂ３が「ＯＮ」時、グラフエリア６００ｂに表示されている全ての単位時間の行高が統一される。即ち、図４に示すように、左側のグラフで一番行高が高い「３時−４時」を基準にして、「１時−２時」の高さ、「２時−３時」の高さ、「４時−５時」の高さ（以下同じ）、を全て同じ高さに設定するとこで、図４の右側のグラフのように表示される。これは、パルトグラム用テーブル７００のグラフ目盛りの「３時−４時」の高さを基準に、他の時間間隔を同じ高さに変更することで実現される。一方、「ＯＦＦ」の場合は、非活性状態になる。
【００３６】
行高調整のチェックボックスＢ２と行高統一のチェックボックスｂ３の組み合わせによって、グラフエリア６００ｂと看護記録エリア６００ｃは、表１に示す形式で表示することができる。
【表１】
0006498404.tif 000002
【００３７】
＜グラフ目盛りエリアｂ４＞
グラフ目盛りエリアｂ４には、Ｙ軸（縦軸）の日時に対して、Ｘ軸（横軸）には各表示データの目盛りを表示する。Ｘ軸の同軸上に複数の目盛りデータが共有でき、目盛りも重ねて表示できる。Ｙ軸の行数や、グラフ目盛りエリアｂ４のカラム数は、パルトグラム用テーブル７００のグラム目盛りによって設定される。また、同じ行に複数の目盛りが設定可能である。例えば、図２では、左側には「陣痛発作」の網掛けグラフに応じた目盛り（１０〜５０）を示しており、左側−右側には「間歇」の網掛けグラフに応じた目盛り（１〜１４）を示しており、中央−右側には「子宮口間大」の横棒に応じた目盛り（１００〜１８０）を示している。
【００３８】
＜グラフデータ表示エリアｂ５＞
グラフデータ表示エリアｂ５には、現在選択されている『用紙パターン』の実施データをグラフとして表示している。グラフ毎のグラフ線種／グラフ色／線幅等は、パルトグラム用テーブル７００のグラフ目盛りで設定・変更可能である。また、グラフ自体の罫線とは別に、現在日時を表す罫線を表示することもできる。各行の単位時間当たりの高さは、パルトグラム用テーブル７００のグラフ目盛りの設定にて指定可能である。また単位時間（１時間〜３時間など）も、設定可能である。目盛りの設定では、それぞれ複数のパターンを用意でき、画面上で切り替えることが出来る。グラフＧ１は、図５に示すように、パルトグラム用テーブル７００のグラフ目盛りの陣痛持続時間（入力ポイント）を参照して、その最小値と最大値を結び、グラフデータ全体を網掛け表示したものである。表示形式は、特に問うものではなく、色による塗りつぶしであっても良い。
【００３９】
図２の符号１０は、子宮収縮剤（ＭＥ）投与の期間をバー表示したものである。符号２０は、グラフエリア６００ｂに表示されるグラフアイコンの凡例（実施項目を含む）を示している。例えば、符号３０で示すアイコンは、胎児の頭を表現し、円の中の線は頭の向きを表示している。符号４０で示すアイコンは、産まれた子供の性別（ここでは、「女子」）を示している。アイコンで表示する実施項目・アイコンは、パルトグラム用テーブル７００の設定で指定できる。多胎児の場合の胎児データ表示は、グラフシンボルに文字を付加して表示し、グラフデータは重なって表示する。また、多胎児の場合、コンボボックスによって、第一子のみ又は第二子のみに表示切り替えが行える。
【００４０】
＜コンテキストメニューｂ６＞
図６は、コンテキストメニューの一覧を表示する。このコンテキストメニューｂ６は、グラフエリア６００ｂにプロットされているデータにマウス（図示せず）を移動して、右クリックを押すと表示される仕組みとしている。そして、メニュー中で右クリックして選択したデータの編集が可能となる。コンテキストメニューｂ６には、各種の実施項目の他に、「新規看護記録」「編集」などの機能を選択可能に表示される。「編集」は、実施済みデータの修正作業時に用いられる。「新規看護記録」は、看護記録を新規に作成するときに用いられる。これらのメニューの何れかが選択されると、その入力画面のアプリが起動されると共に、マウスを右クリックした時間が入力画面の実施時刻に自動的に反映される仕組みとしている。
【００４１】
（看護記録エリア６００ｃ）
図７は、看護記録エリア６００ｃだけを示したものである。看護記録エリア６００ｃの最上部には、パルトグラム入力画面６００ｆを起動・表示するチェックボックスｃ１看護記録一覧やイベント一覧を表示するチェックボックスｃ２がある。これらのチェックボックスの下側に看護記録ｃ４が一覧表示される。ここには、パルトグラム入力画面６００ｆで入力された看護記録や看護実施データが一旦電子カルテＤＢ１００に記録され、それがＤＢ検索・読み取り処理部３００により読み出されて表示される。イベント一覧は、実施または未実施のイベントが表示される。イベント一覧の実施／未実施等は文字色を変えて表示することで識別可能としている。
【００４２】
＜入力画面表示チェックボックスｃ１＞
このチェックボックスｃ１が「ＯＮ」時、パルトグラム入力画面６００ｆを「モードレス」で起動する。つまり、絶えず入力画面が前面に表示され続けるかどうかが指定でき、入力行為を連続して行う場合に使用する。「ＯＦＦ」時は、パルトグラム入力画面６００ｆを閉じる。
【００４３】
＜看護記録一覧／イベント一覧のチェックボックスｃ２＞
このチェックボックスｃ２が「ＯＮ」時、看護記録一覧／イベント一覧を表示する。「ＯＦＦ」時は、看護記録一覧／イベント一覧を非表示にする。看護記録一覧／イベント一覧には、スクロールバー（図示せず）がそれぞれ表示可能である。
【００４４】
＜イベント・記録を同じ一覧に表示チェックボックスｃ３＞
このチェックボックスｃ３が「ＯＦＦ」時、看護記録一覧とイベント一覧を分けて表示する。即ち、図８の左側に示すように、チェックボックスｃ２の看護記録一覧およびイベント一覧が「ＯＮ」で、且つチェックボックスｃ３が「ＯＦＦ」である時、看護記録一覧ｃ４とイベント一覧ｃ５が左右に分けて表示される。一方、図８の右側に示すように、チェックボックスｃ２の看護記録一覧およびイベント一覧が「ＯＮ」で、且つチェックボックスｃ３が「ＯＮ」である時、看護記録一覧ｃ４とイベント一覧ｃ５を時間軸に沿って一つに纏めたミックス表示ｃ６とすることができる。
【００４５】
＜看護記録一覧ｃ４＞
看護記録一覧には、表示期間中の分娩進行を言葉で表現したものが一覧表示される。そして、図９に示すように、行の高さを記録域と揃えるチェックボックスｂ４が「ＯＦＦ」の時、看護記録一覧の何処かをマウスオーバーすると、マウスオーバーされた看護記録がグラフデータ表示エリアｂ５のどの時間に存在するかを横線で対峙するように表示する。例えば、図９では、「０３：０５」の看護記録上にマウスオーバーすると、グラフデータ表示エリアｂ５の「０３：０５」（おおよその時間）に破線の横線が表示される。なお、マウスオーバーされた看護記録の時間が、スクロールによりグラフデータ表示エリアｂ５の外にある場合も、横線を表示する。
【００４６】
また、看護記録一覧ｃ４に表示されている任意の看護記録をダブルクリックすると、パルトグラム入力画面６００ｆにダブルクリックされた看護記録が反映され、記録内容の修正を可能とします。図１０は、看護記録「０１：１５」の上をダブルクリックした時の入力画面６００ｆを示す図である。入力画面６００ｆの日時データｃ５には、ダブルクリックした看護記録の日時が反映されている。また、下部の看護記録エリアｃ６には、看護記録がそのまま表示されている。この看護記録エリアｃ６には、入力画面で新規追加された看護記録の入力エリアとしても機能する。新規入力された看護記録は、上述したようにグラフエリア６００ｂに反映される。なお、実施者変更ボタンｃ７は、実施者の入力又は変更を行う。
【００４７】
また、実施記録エリアｃ８には、例えば凡例から選択された「看護実施項目」の入力を行う。確定した看護実施データはグラフエリア６００ｂに反映される。したがって、作業者による入力（修正も含む）作業が容易に行うことができる。また、看護記録に紐付く看護実施データがあった場合、その看護実施データも入力画面に反映される。なお、図６で示したコンテキストメニューからの選択による「新規看護記録」においても、図１０に示した入力画像６００ｆから入力操作を行うことができる。
【００４８】
次に、看護記録では、文章以外に画像（例えば、シェーマ）も電子カルテＤＢ１００に記録・保存することができる。電子カルテＤＢ１００に画像を記録・保存した場合は、図１１に示すように、看護記録には「アイコン」ｃ９が表示される。この「アイコン」ｃ９をマウスオーバーすることにより、サムネイル画像がポップアップ表示される。更に、「アイコン」ｃ９をクリックすることにより、図１１の右側に示すように、シェーマ画面を起動して記録・保存したシェーマを見ることができる。また、画像を保存した看護記録の編集時に、画像の編集も行うことができる。ここでは、シェーマ画像の扱いについて述べたが、他の画像データも同様にして取り扱うことができる。
【００４９】
（コメント入力画面）
図１２は、コメント入力画面６００ｇを示す図である。コメント情報を入力するときに、この入力画面６００ｇを使用する。機能ボタン群のコメント入力画面起動ボタンａ７を押下すると、この画面が立ち上がる。入力されたコメントは、機能ボタン群のコメント表示エリアａ６に表示される。コメントを表示する場所は、特に限定されない。
【００５０】
図１２の実施者変更ボタンｇ１は、図１０の実施者変更ボタンｃ８と同様に実施者の入力又は変更を行う。コメント入力エリアｇ２は、登録するコメントを入力する。コメント入力エリアｇ２のタイトル、入力数は設定可能とする。コメント入力画面６００ｇから入力されたコメント、及びコメント入力エリアのタイトルがコメント表示エリアａ６に表示される。ＯＫボタンｇ３の押下時、入力コメントの登録を行い、コメント入力画面を終了する。
【００５１】
本実施形態によれば、Ｙ軸に時間軸を設定し、Ｘ軸に複数のデータ値を設定したものであるから、紙からコンピューターシステム化をスムーズに行なえる。パルトグラムの表示画面では、グラフ表現、実施結果、看護記録、患者スケジュールを同軸で参照することできる。Ｙ軸の時間軸に合わせた形式で自由に看護記録、実施データ、コメント入力など各種記録入力が可能である。看護記録エリアには看護記録と連動した実施記録の入力ができる。単位時間毎の高さ調整を行うことができ、マウスオーバーにより時間線がグラフ上に表示したりすることで見易い表示が行え、日毎に情報管理ができるなどの効果を有している。
【００５２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更、組み合わせを行うことができる。これら実施形態やその変形は、発明の範囲や要旨に含まれるとともに、特許請求の範囲に記載された発明とその均等の範囲に含まれる。
【符号の説明】
【００５３】
１００‥電子カルテＤＢ（データベース）
２００‥看護支援ＤＢ（データベース）
３００‥ＤＢ検索・読み取り処理
４００‥登録用データ変換・書き込み処理部
５００‥パルトグラム表示制御部
５１０‥参照画面部
５２０‥入力画面部
５３０‥コメント入力画面部
６００‥端末装置の表示部
６００ａ‥機能ボタン群
６００ｂ‥グラフエリア
６００ｃ‥看護記録エリア
６００ｄ‥イベント一覧
６００ｆ‥パルトグラム入力画面
６００ｇ‥コメント入力画面
７００‥パルトグラム用テーブル
【図１】
0006498404.tif 000003
【図２】
0006498404.tif 000004
【図３】
0006498404.tif 000005
【図４】
0006498404.tif 000006
【図５】
0006498404.tif 000007
【図６】
0006498404.tif 000008
【図７】
0006498404.tif 000009
【図８】
0006498404.tif 000010
【図９】
0006498404.tif 000011
【図１０】
0006498404.tif 000012
【図１１】
0006498404.tif 000013
【図１２】
0006498404.tif 000014